(57)【特許請求の範囲】
【請求項１】
コンクリート構造物の側面に、コンクリート構造物の継ぎ目間を覆う補強布を埋設したゴム状弾性材料からなる目地板を固定して成るコンクリート構造物の目地板の構造において、
前記目地板の巾方向中央部に、所定の長さで巾方向に伸縮可能な波形状の伸縮部を形成し、この伸縮部の両側端末部と目地板の巾方向の両側縁部とに、補強リブを一体的に形成したことを特徴とするコンクリート構造物の目地板の構造。
【請求項２】
前記目地板の巾方向の両側縁部に、フランジ部を設けると共に、目地板の裏面側の一部に、突起部を設けた請求項１に記載のコンクリート構造物の目地板の構造。
【請求項３】
前記目地板の表面側に、伸縮部を中心として、その両側にカバープレートを取付けた請求項１または２に記載のコンクリート構造物の目地板の構造。
【発明の詳細な説明】
【０００１】
【発明の属する技術分野】
この発明は、ケーソン等のコンクリート構造物の継ぎ目部に使用する目地板の構造にかかわり、更に詳しくは目地板に巾方向の伸縮性をもたせて、コンクリート構造物相互が上下方向または左右方向に移動したり、またコンクリート構造物が直角に配設されていたり、一定の角度で配置されていても、そのコンクリート構造物の移動量及び継ぎ目に追従させて目地板を取付けることが出来、しかも外部からの外力に対してもバタ付きがなく、安定した状態で取付け施工出来るコンクリート構造物の目地板の構造に関するものである。
【０００２】
【従来の技術】
従来、ケーソン等のコンクリート構造物（例えば、防波堤や、コンクリート製のトンネル等）の継ぎ目には、止水を目的として、補強布を埋設したゴム状弾性材料からなる目地板を継ぎ目間に配設している。
ところで、従来の目地板の取付け構造としては、例えば、特開昭６２−１７４４０７号公報，特開昭６２−１２１２３６号公報及び実開平６−２７９４８（実願平３−７９３７３号のマイクロフィルム）に開示されているように、コンクリート構造物の継ぎ目間に、ゴム状弾性材料からなる目地板を湾曲状に折り曲げて嵌込み、目地板の両端または片方をボルト等の締結部材によりコンクリート構造物に取付けるのが一般であった。
【０００３】
【発明が解決しようとする課題】
然しながら、上記のような目地板は、目地板の巾方向に特に伸縮するような構造を具備していないため、コンクリート構造物の継ぎ目間の距離が伸縮したり、コンクリート構造物の相互が上下方向に移動した場合、更にコンクリート構造物が一定の角度で配設されている場合、その移動量やコンクリート構造物の配置に対して追従性が少なく、移動量が大きい場合には、破損してしまうと言う問題があった。
【０００４】
また、追従性を具備させるため、目地板の片側のみを固定するものにあっては止水性が乏しくなり、目地板の止水機能を充分に発揮させることが難しく、更に目地板の取付け部は、特に強度を持った構造になっていないため、外圧（例えば、波圧等）によって目地板が撓み、バタ付いたり、水や土砂類が流出したり、破損すると言う問題があった。
【０００５】
この発明は、かかる従来の問題点に着目して案出されたもので、コンクリート構造物の配置による継ぎ目間に追従させて目地板を取付けることが出来ると共に、コンクリート構造物の相互が上下方向や左右方向に移動しても、その移動量に追従して伸縮でき、また両端固定のため、止水性を充分に保つことが出来る上、外力に対しても充分に強度を持たせることが出来、従って、目地板がバタ付いたり、破損することなく、安定した状態で使用でき、耐久性も充分に保持させることが出来るコンクリート構造物の目地板の構造を提供することを目的とするものである。
【０００６】
【課題を解決するための手段】
この発明は、上記目的を達成するため、コンクリート構造物の側面に、コンクリート構造物の継ぎ目間を覆う補強布を埋設したゴム状弾性材料からなる目地板を固定して成るコンクリート構造物の目地板の構造において、前記目地板の巾方向中央部に、所定の長さで巾方向に伸縮可能な波形状の伸縮部を形成し、この伸縮部の両側端末部と目地板の巾方向の両側縁部とに、補強リブを一体的に形成したことを要旨とするものである。
【０００７】
前記目地板の巾方向の両側縁部に、フランジ部を設けると共に、目地板の裏面側の一部に、突起部を設けたり、また前記目地板の表面側に、伸縮部を中心として、その両側にカバープレートを取付けることも可能である。
この発明は、上記のように構成され、目地板の巾方向中央部に、所定の長さで巾方向に伸縮可能な波形状の伸縮部を形成することで、コンクリート構造物の配置による継ぎ目間に追従させて目地板を取付けることが出来ると共に、コンクリート構造物が上下方向に移動したり、継ぎ目の距離が伸縮してもその移動距離に追従させることが出来る。
【０００８】
また、目地板の巾方向の両側縁部に、フランジ部を設けると共に、目地板の裏面側の一部に、突起部を設けたり、また前記目地板の表面側に、伸縮部を中心として、その両側にカバープレートを取付けたり、カバープレートに補強リブを一体的に形成するので、外圧で目地板がバタ付いたり、破損することなく、また両端を固定させるので、止水性機能を充分に保持させることが出来るものである。更に、目地板は一体加硫成形により製作するので、二次加工が不要である上に施工作業性も良い。
【０００９】
【発明の実施の形態】
以下、添付図面に基づきこの発明の実施の形態を説明する。
図１（ａ），（ｂ）は、この発明の第１実施形態を示すケーソン等のコンクリート構造物１の継ぎ目部１ａに、該継ぎ目部１ａ間を覆うように取付けられた複数枚の目地板３の正面図と、側面図を示し、前記目地板３は、図２に示すように、補強布２を埋設したゴム状弾性材料により巾方向に折り曲げ可能に板状に形成されている。
【００１０】
前記目地板３の巾方向の両側縁部３ａ，３ａは、図４に示すように、押さえ金具４及びボルト・ナット等の締結部材５によりコンクリート構造物１の側面に固定され、また目地板３の巾方向中央部３ｂには、図２に示すように、所定の長さで巾方向に伸縮可能な波形状の伸縮部６が一体的に形成されている。また、前記伸縮部６の両側端末部６ａと目地板３の表面側３ｘにおける巾方向の両側縁部３ａ，３ａとには、補強リブ７が一体的に形成され、この補強リブ７は、波形状の伸縮部６間に設けることも可能である。
【００１１】
更に、前記目地板３の巾方向の両側縁部３ａ，３ａには、図２〜図４に示すように、巾方向の引張力に対して補強を行うフランジ部８が一体的に設けてあり、また目地板３の裏面側３ｙの一部、即ち、両側縁部３ａ，３ａの近傍には、目地板３をコンクリート構造物１の側面に支持させる突起部９が設けてある。
以上のように、この発明にかかる目地板３は、その巾方向中央部３ｂには、所定の長さで巾方向に伸縮可能な波形状の伸縮部６が一体的に形成され、また伸縮部６の両側端末部６ａと目地板３の表面側３ｘにおける巾方向の両側縁部３ａ，３ａとには、補強リブ７が一体的に形成されているので、例えば、図５（ａ），（ｂ）に示すように、コンクリート構造物１相互が一定の角度で配設されていたり、また図６（ａ），（ｂ）に示すように、コンクリート構造物１が直角に配設されていても、その継ぎ目１ａを覆うように、目地板３の伸縮部６を折り曲げて締結部材５によりコンクリート構造物１の側面に固定することが出来、またコンクリート構造物１相互が上下方向に移動したとしても、その移動量を目地板３の伸縮部６で吸収することが出来るものである。
【００１２】
また、防波堤等にコンクリート構造物１を用いた場合に、その外圧（波圧）が目地板３に作用しても、補強リブ７が一体的に形成されているので、バタ付き等も押さえることが出来、損傷等を有効に防止出来るものである。
更に、目地板３の巾方向の両側縁部３ａ，３ａにフランジ部８が一体的に設けられ、しかも両側縁部３ａ，３ａの近傍には、目地板３をコンクリート構造物１の側面に支持させる突起部９が設けてあるので、例え外圧により目地板３の巾方向の両側縁部３ａ，３ａが巾方向中央部３ｂ側に引っ張られても、フランジ部８と突起部９により締結部材５で強固に取付けられている巾方向の両側縁部３ａ，３ａは、破損したり、損傷することがなく、耐久性及び止水性を向上させることが出来るものである。
【００１３】
次に、図７〜図１０は、この発明にかかる目地板３の第２実施形態を示し、この第２実施形態は、一定以上の外圧（波圧）が目地板３に作用する場合、目地板３の表面側３ｘに、伸縮部６を中心として、その両側にカバープレート１０を取付けることにより、目地板３に更に剛性を持たせることが出来るようにしたものである。
【００１４】
このカバープレート１０を取付けた目地板３は、上記第１実施形態と同様、図８に示すように、コンクリート構造物１相互が水平に配設されていたり、図９に示すように、一定の角度で配設され、更に図１０に示すように、直角に配設されていても、その継ぎ目１ａを覆うように、目地板３の伸縮部６を折り曲げて締結部材５によりコンクリート構造物１の側面に固定することが出来、またコンクリート構造物１相互が上下方向に移動したとしても、その移動量を目地板３の伸縮部６で吸収することが出来るものである。
【００１５】
更に、防波堤等にコンクリート構造物１を用いた場合に、一定以上の外圧（波圧）が目地板３に作用しても、カバープレート１０に、補強リブ７を一体的に形成することで、バタ付き等も押さえることが出来、損傷等を有効に防止出来るものである。
また、カバープレート１０は、図３に示すように、コンクリート構造物１の側面に対して目地板３の巾方向の両側縁部３ａ，３ａと共に締結部材５で強固に取付けられているので、破損したり、損傷することがなく、耐久性及び止水性を向上させることが出来るものである。
【００１６】
なお、その他の構成及び作用は、上記第１実施形態と同様なので、同一符号を付して説明は省略する。
なお、上記第１実施形態の目地板３は、一体加硫成形を行うので、２次加工が不要となり、安価に製作出来ると共に、施工作業性も良好にすることが出来るものである。
【００１７】
【発明の効果】
この発明は、上記のように目地板の巾方向中央部に、所定の長さで巾方向に伸縮可能な波形状の伸縮部を形成し、この伸縮部の両側端末部と目地板の巾方向の両側縁部とに、補強リブを一体的に形成したので、以下のような優れた効果を奏するものである。
(1)．コンクリート構造物の配置による継ぎ目間に追従させて目地板を取付けることが出来ると共に、コンクリート構造物の相互が上下方向や左右方向に移動しても、その移動量に追従して伸縮できる。
(2)．また目地板は、両端固定のため、止水性を充分に保つことが出来る上、外力に対しても充分に強度を持たせることが出来、従って、目地板がバタ付いたり、破損することなく、安定した状態で使用でき、耐久性を向上させることが出来るものである。
(3)．一定以上の外圧が目地板に作用すると予想される場合には、目地板の外側にカバープレートを取付けることで、十分に対応出来る。
(4)．目地板の巾方向の両側縁部にフランジ部を一体的に設けたり、両側縁部の近傍には、突起部を設けることで、例え外圧により目地板の巾方向の両側縁部が巾方向中央部側に引っ張られても、フランジ部と突起部により締結部材で強固に取付けられている巾方向の両側縁部は、破損したり、損傷することがなく、耐久性及び止水性を向上させることが出来る。
【図面の簡単な説明】
【図１】（ａ），（ｂ）は、この発明の第１実施形態を示すケーソン等のコンクリート構造物の継ぎ目部に取付けられた複数枚の目地板の正面図と側面図で、（ａ）は、（ｂ）のＡーＡ矢視正面図である。
【図２】この発明の第１実施形態における目地板の拡大断面図である。
【図３】目地板とカバープレートとを締結部材によりコンクリート構造物の側面に固定した状態の断面図である。
【図４】目地板を押さえ金具と締結部材とによりコンクリート構造物の側面に固定した状態の断面図である。
【図５】（ａ），（ｂ）は、この発明の第１実施形態における目地板を、一定の角度に配設されたコンクリート構造物の側面に固定した状態の正面図と平面図である。
【図６】（ａ），（ｂ）は、この発明の第１実施形態における目地板を、直角に配設されたコンクリート構造物の側面に固定した状態の正面図と平面図である。
【図７】この発明の第２実施形態における目地板の拡大断面図である。
【図８】コンクリート構造物を水平に配設した場合に、その継ぎ目部に第２実施形態におけるカバープレートを設けた目地板を取付けた状態を示す平面図である。
【図９】この発明の第２実施形態におけるカバープレートを設けた目地板を、一定の角度に配設されたコンクリート構造物の側面に固定した状態の平面図である。
【図１０】この発明の第２実施形態におけるカバープレートを設けた目地板を、直角に配設されたコンクリート構造物の側面に固定した状態の平面図である。
【符号の説明】
１  コンクリート構造物                １ａ  継ぎ目部
２  補強布                              ３  目地板
３ａ  目地板の巾方向の両側縁部          ３ｂ  目地板３の巾方向中央部
４  押さえ金具                          ５  締結部材
６  伸縮部                            ６ａ  伸縮部の両側端末部
３ｘ  目地板の表面側                    ３ｙ  目地板の裏面側
７  補強リブ                            ８  フランジ部
９  突起部                            １０  カバープレート
【図１】
0003698496.tif 000002
【図２】
0003698496.tif 000003
【図３】
0003698496.tif 000004
【図４】
0003698496.tif 000005
【図５】
0003698496.tif 000006
【図６】
0003698496.tif 000007
【図７】
0003698496.tif 000008
【図８】
0003698496.tif 000009
【図９】
0003698496.tif 000010
【図１０】
0003698496.tif 000011